(57)【要約】  第一のチャンネルと第二のチャンネルを有するダウンミックス信号をアップミックス信号にアップミックスする方法は、このダウンミックス信号の第一のチャンネルと第二のチャンネルの相関する信号成分を決定する相関比較を実施して、このアップミックス信号の第一のチャンネルをダウンミックス信号の第一のチャンネルに基づき決定し、このアップミックス信号の第二のチャンネルをダウンミックス信号の第二のチャンネルに基づき決定し、このアップミックス信号の第三のチャンネルをこの相関する信号成分に基づき決定する工程と、このアップミックス信号の第一のチャンネル、第二のチャンネル又は第三のチャンネルの逆符号化によって、このアップミックス信号の少なくとも一つの第四のチャンネルを決定する工程とを有する。
2016536855.tif 000002
【特許請求の範囲】
【請求項１】
第一のチャンネルと第二のチャンネルを有するダウンミックス信号をアップミックス信号にアップミックスする方法において、
このダウンミックス信号の第一のチャンネルと第二のチャンネルの相関する信号成分を決定するための相関比較を実施して、このアップミックス信号の第一のチャンネルをダウンミックス信号の第一のチャンネルに基づき決定し、このアップミックス信号の第二のチャンネルをダウンミックス信号の第二のチャンネルに基づき決定し、このアップミックス信号の第三のチャンネルをこの相関する信号成分に基づき決定する工程と、
このアップミックス信号の第一のチャンネル、第二のチャンネル又は第三のチャンネルの逆符号化によって、或いはこの相関する信号成分、ダウンミックス信号の第一のチャンネル及びダウンミックス信号の第二のチャンネルの中の一つ以上に基づく信号の逆符号化によって、このアップミックス信号の少なくとも１つの第四のチャンネルを決定する工程と、
を有することを特徴とする方法。
【請求項２】
アップミックス信号の第一のチャンネル、第二のチャンネル及び第三のチャンネルが第一のスピーカ面に割り当てられており、この第一のスピーカ面に隣接するスピーカ面に割り当てられたアップミックス信号の少なくとも１つの第四のチャンネルが、アップミックス信号の第一のチャンネル、第二のチャンネル又は第三のチャンネルの逆符号化によって決定されることを特徴とする請求項１に記載の方法。
【請求項３】
アップミックス信号の第一のチャンネルが前方左チャンネルであり、アップミックス信号の第二のチャンネルが前方右チャンネルであり、アップミックス信号の第三のチャンネルが前方中央チャンネルであり、
第四のチャンネルが、アップミックス信号の前方左チャンネルの逆符号化による下前方左チャンネルであるか、アップミックス信号の前方中央チャンネルの逆符号化による下前方中央チャンネルであるか、或いはアップミックス信号の前方右チャンネルの逆符号化による下前方右チャンネルである、
ことを特徴とする請求項１又は２に記載の方法。
【請求項４】
当該の第四のチャンネルがアップミックス信号の前方左チャンネルの逆符号化による下前方左チャンネルであり、
下前方中央チャンネルがアップミックス信号の前方中央チャンネルの逆符号化により生成され、
下前方右チャンネルがアップミックス信号の前方右チャンネルの逆符号化により生成される、
ことを特徴とする請求項３に記載の方法。
【請求項５】
アップミックス信号の前方中央左チャンネルがアップミックス信号の前方左チャンネルの逆符号化により生成されることと、アップミックス信号の前方中央右チャンネルがアップミックス信号の前方右チャンネルの逆符号化により生成されることとの中の一つ以上であり、
アップミックス信号の前方中央左チャンネルに関するアップミックス信号の前方左チャンネルの逆符号化とアップミックス信号の下前方左チャンネルに関するアップミックス信号の前方左チャンネルの逆符号化とのために別個のパラメータが使用されることと、アップミックス信号の前方中央右チャンネルに関するアップミックス信号の前方右チャンネルの逆符号化とアップミックス信号の下前方右チャンネルに関するアップミックス信号の前方右チャンネルの逆符号化とのために別個のパラメータが使用されることとの中の一つ以上である、
ことを特徴とする請求項４に記載の方法。
【請求項６】
ダウンミックス信号が後方左チャンネルと後方右チャンネルを有し、後方中央チャンネルが、相関比較により算出された、このダウンミックス信号の後方左チャンネルと後方右チャンネルの相関する信号成分から決定されることを特徴とする請求項３から５までのいずれか一つに記載の方法。
【請求項７】
アップミックス信号の側方左チャンネルが、ダウンミックス信号の第一のチャンネルとダウンミックス信号の後方左チャンネルの共通の信号成分に基づき相関比較による決定されることと、アップミックス信号の側方右チャンネルが、ダウンミックス信号の第二のチャンネルとダウンミックス信号の後方右チャンネルの共通の信号成分に基づき相関比較による決定されることとの中の一つ以上であることを特徴とする請求項６に記載の方法。
【請求項８】
アップミックス信号の第一のチャンネルが後方左チャンネルであり、アップミックス信号の第二のチャンネルが後方右チャンネルであり、アップミックス信号の第三のチャンネルが後方中央チャンネルであり、第四のチャンネルが、アップミックス信号の後方中央チャンネルの逆符号化により決定される上後方中央チャンネルであることを特徴とする請求項１又は２に記載の方法。
【請求項９】
上中央チャンネルが、後方中央チャンネルに基づき、特に、１よりも大きい係数による乗算によって決定されることを特徴とする請求項７又は８に記載の方法。
【請求項１０】
アップミックス信号の第一のチャンネルが後方左チャンネルであり、アップミックス信号の第二のチャンネルが後方右チャンネルであり、
第四のチャンネルが、アップミックス信号の後方左チャンネル又はダウンミックス信号の第一のチャンネルの逆符号化により決定された上後方左チャンネル及び／又はアップミックス信号の後方右チャンネル又はダウンミックス信号の第二のチャンネルの逆符号化により決定された上後方右チャンネルである、
ことを特徴とする請求項１又は２に記載の方法。
【請求項１１】
アップミックス信号の第三のチャンネルが上中央チャンネルであることを特徴とする請求項１０に記載の方法。
【請求項１２】
ダウンミックス信号が上前方左チャンネルと上前方右チャンネルを有し、アップミックス信号の上前方中央チャンネルが、このダウンミックス信号の上前方左チャンネルと上前方右チャンネルの相関比較により算出された相関する信号成分に基づき決定され、
アップミックス信号の上前方左チャンネルがダウンミックス信号の上前方左チャンネルに基づき決定されることと、アップミックス信号の上前方右チャンネルがダウンミックス信号の上前方右チャンネルに基づき決定されることとの中の一つ以上である、
ことを特徴とする請求項１から１１までのいずれか一つに記載の方法。
【請求項１３】
アップミックス信号の上側方左チャンネルがダウンミックス信号又はアップミックス信号の上前方左チャンネルの逆符号化により決定されることと、アップミックス信号の上側方右チャンネルがダウンミックス信号又はアップミックス信号の上前方右チャンネルの逆符号化により決定されることとの中の一つ以上であることを特徴とする請求項１２に記載の方法。
【請求項１４】
アップミックス信号の上後方左チャンネルがアップミックス信号の上側方左チャンネルの逆符号化により決定されることと、アップミックス信号の上後方右チャンネルがアップミックス信号の上側方右チャンネルの逆符号化により決定されることとの中の一つ以上であることを特徴とする請求項１３に記載の方法。
【請求項１５】
アップミックス信号の第一のチャンネルが前方右チャンネルであり、アップミックス信号の第二のチャンネルが前方左チャンネルであり、アップミックス信号の第三のチャンネルが前方中央チャンネルであり、
第四のチャンネルが、アップミックス信号の前方左チャンネルの逆符号化により決定される前方中央左チャンネル及び／又はアップミックス信号の前方右チャンネルの逆符号化により決定される前方中央右チャンネルである、
ことを特徴とする請求項１に記載の方法。
【請求項１６】
上前方左チャンネルと上前方右チャンネルを有するダウンミックス信号をアップミックス信号にアップミックスする方法において、
このアップミックス信号の上前方中央チャンネルがダウンミックス信号の上前方左チャンネルと上前方右チャンネルの相関比較により算出された相関する信号成分に基づき決定され、
このアップミックス信号の上前方左チャンネルがダウンミックス信号の上前方左チャンネルに基づき決定され、このアップミックス信号の上前方右チャンネルがダウンミックス信号の上前方右チャンネルに基づき決定され、
このアップミックス信号の上側方左チャンネル又は上後方左チャンネルがダウンミックス信号又はアップミックス信号の上前方左チャンネルの逆符号化により決定され、このアップミックス信号の上側方右チャンネル又は上後方右チャンネルがダウンミックス信号又はアップミックス信号の上前方右チャンネルの逆符号化により決定される、
ことを特徴とする方法。
【請求項１７】
アップミックス信号の上側方左チャンネルが、ダウンミックス信号又はアップミックス信号の上前方左チャンネルの逆符号化により決定されることと、アップミックス信号の上側方右チャンネルが、ダウンミックス信号又はアップミックス信号の上前方右チャンネルの逆符号化により決定されることとの中の一つ以上であることを特徴とする請求項１６に記載の方法。
【請求項１８】
アップミックス信号の上後方左チャンネルが、アップミックス信号の上側方左チャンネルの逆符号化により決定されることと、アップミックス信号の上後方右チャンネルが、アップミックス信号の上側方右チャンネルの逆符号化により決定されることとの中の一つ以上であることを特徴とする請求項１７に記載の方法。
【請求項１９】
上前方左チャンネル、上前方右チャンネル、上後方左チャンネル及び上後方右チャンネルを有するダウンミックス信号をアップミックス信号にアップミックスする方法において、
このダウンミックス信号の上前方右チャンネルと上後方右チャンネルの相関する信号成分を決定するための第一の相関比較を実施して、このアップミックス信号の上前方右チャンネルをダウンミックス信号の上前方右チャンネルに基づき決定し、このアップミックス信号の上後方右チャンネルをダウンミックス信号の上後方右チャンネルに基づき決定し、このアップミックス信号の上側方右チャンネルをこの相関する信号成分に基づき決定する工程と、
このダウンミックス信号の上前方左チャンネルと上後方左チャンネルの相関する信号成分を決定するための第二の相関比較を実施して、このアップミックス信号の上前方左チャンネルをダウンミックス信号の上前方左チャンネルに基づき決定し、このアップミックス信号の上後方左チャンネルをダウンミックス信号の上後方左チャンネルに基づき決定し、このアップミックス信号の上側方左チャンネルをこの相関する信号成分に基づき決定する工程と、
これらの上側方左チャンネルと上側方右チャンネルに基づき、アップミックス信号の上中央チャンネルを決定する工程と、
を有することを特徴とする方法。
【請求項２０】
アップミックス信号の上中央チャンネルが上側方左チャンネルと上側方右チャンネルの合計に基づき決定されることを特徴とする請求項１９に記載の方法。
【請求項２１】
後方左チャンネルと後方右チャンネルを有するダウンミックス信号をアップミックス信号にアップミックスする方法において、
このダウンミックス信号の後方左チャンネルと後方右チャンネルの相関する信号成分を決定するための相関比較を実施して、このアップミックス信号の後方左チャンネルをダウンミックス信号の後方左チャンネルに基づき決定し、このアップミックス信号の後方右チャンネルをダウンミックス信号の後方右チャンネルに基づき決定する工程と、
この相関する信号成分に基づき、アップミックス信号の上中央チャンネルを決定する工程と、
を有することを特徴とする方法。
【請求項２２】
ダウンミックス信号及びアップミックス信号の後方左チャンネルと後方右チャンネルが中央又は上方のスピーカ面に属することと、上中央チャンネルが上中央チャンネル又は上後方中央チャンネルであることとの中の一つ以上であることを特徴とする請求項２１に記載の方法。
【請求項２３】
アップミックス信号の後方中央チャンネルが相関する信号成分から決定され、アップミックス信号の上中央チャンネルがアップミックス信号の後方中央チャンネルから決定されることを特徴とする請求項２１又は２２に記載の方法。
【請求項２４】
アップミックス信号の上後方中央チャンネルが後方中央チャンネルから決定され、アップミックス信号の上中央チャンネルがアップミックス信号の上後方中央チャンネル又はアップミックス信号の後方中央チャンネルから決定されることを特徴とする請求項２３に記載の方法。
【請求項２５】
ダウンミックス信号が前方右チャンネルと前方左チャンネルを有し、
アップミックス信号の前方右チャンネルがダウンミックス信号の前方右チャンネルに基づき決定され、
アップミックス信号の前方左チャンネルがダウンミックス信号の前方左チャンネルに基づき決定され、
アップミックス信号の前方中央チャンネルがダウンミックス信号の前方左チャンネルと前方右チャンネルの相関比較により決定された相関する成分に基づき決定される、
ことを特徴とする請求項２１から２４までのいずれか一つに記載の方法。
【請求項２６】
ダウンミックス信号が上前方右チャンネルと上前方左チャンネルを有し、
アップミックス信号の上前方右チャンネルがダウンミックス信号の上前方右チャンネルに基づき決定され、
アップミックス信号の上前方左チャンネルがダウンミックス信号の上前方左チャンネルに基づき決定され、
アップミックス信号の上前方中央チャンネルがダウンミックス信号の上前方左チャンネルと上前方右チャンネルの相関比較により決定された相関する成分に基づき決定される、
ことを特徴とする請求項２１から２５までのいずれか一つに記載の方法。
【請求項２７】
プロセッサ上で実行された場合に、請求項１から２６までのいずれか一つに記載の方法の工程を実施するように構成されたコンピュータプログラム。
【請求項２８】
第一のチャンネルと第二のチャンネルを有するダウンミックス信号をアップミックス信号にアップミックスする装置において、
このダウンミックス信号の第一のチャンネルと第二のチャンネルの相関する信号成分を決定するための相関比較を実施する相関比較機器であって、このアップミックス信号の第一のチャンネルをダウンミックス信号の第一のチャンネルに基づき決定し、このアップミックス信号の第二のチャンネルをダウンミックス信号の第二のチャンネルに基づき決定し、このアップミックス信号の第三のチャンネルをこの相関する信号成分に基づき決定する相関比較機器と、
このアップミックス信号の第一のチャンネル、第二のチャンネル又は第三のチャンネルの逆符号化によって、或いはこの相関する信号成分、ダウンミックス信号の第一のチャンネル及びダウンミックス信号の第二のチャンネルの中の一つ以上に基づく信号の逆符号化によって、このアップミックス信号の少なくとも１つの第四のチャンネルを決定する逆符号化機器と、
を有することを特徴とする装置。
【請求項２９】
上前方左チャンネルと上前方右チャンネルを有するダウンミックス信号をアップミックス信号にアップミックスする装置において、
このダウンミックス信号の上前方左チャンネルと上前方右チャンネルの相関比較により算出された相関する信号成分に基づき、このアップミックス信号の上前方中央チャンネルを算出する相関比較機器と、
ダウンミックス信号の上前方左チャンネルに基づきアップミックス信号の上前方左チャンネルを決定し、ダウンミックス信号の上前方右チャンネルに基づきアップミックス信号の上前方右チャンネルを決定する機器と、
このダウンミックス信号又はアップミックス信号の上前方左チャンネルの逆符号化によってアップミックス信号の上側方左チャンネル又は上後方左チャンネルを決定し、このダウンミックス信号又はアップミックス信号の上前方右チャンネルの逆符号化によってアップミックス信号の上側方右チャンネル又は上後方右チャンネルを決定する逆符号化機器と、
を有することを特徴とする装置。
【請求項３０】
上前方左チャンネル、上前方右チャンネル、上後方左チャンネル及び上後方右チャンネルを有するダウンミックス信号をアップミックス信号にアップミックスする装置において、
このダウンミックス信号の上前方右チャンネルと上後方右チャンネルの相関する信号成分を決定するための第一の相関比較を実施する第一の相関比較機器と、
このダウンミックス信号の上前方右チャンネルに基づきアップミックス信号の上前方右チャンネルを決定し、ダウンミックス信号の上後方右チャンネルに基づきアップミックス信号の上後方右チャンネルを決定し、ダウンミックス信号の上前方右チャンネルと上後方右チャンネルの相関する信号成分に基づきアップミックス信号の上側方右チャンネルを決定する第一の機器と、
このダウンミックス信号の上前方左チャンネルと上後方左チャンネルの相関する信号成分を決定するための第二の相関比較を実施する第二の相関比較機器と、
このダウンミックス信号の上前方左チャンネルに基づきアップミックス信号の上前方左チャンネルを決定し、ダウンミックス信号の上後方左チャンネルに基づきアップミックス信号の上後方左チャンネルを決定し、ダウンミックス信号の上前方左チャンネルと上後方左チャンネルの相関する信号成分に基づきアップミックス信号の上側方左チャンネルを決定する第二の機器と、
これらの上側方左チャンネルと上側方右チャンネルに基づきアップミックス信号の上中央チャンネルを決定する第三の機器と、
を有することを特徴とする装置。
【請求項３１】
後方左チャンネルと後方右チャンネルを有するダウンミックス信号をアップミックス信号にアップミックスする装置において、
このダウンミックス信号の後方左チャンネルと後方右チャンネルの相関する信号成分を決定するための相関比較を実施する相関比較機器と、
このダウンミックス信号の後方左チャンネルに基づきアップミックス信号の後方左チャンネルを決定し、ダウンミックス信号の後方右チャンネルに基づきアップミックス信号の後方右チャンネルを決定する第一の機器と、
このダウンミックス信号の後方左チャンネルと後方右チャンネルの相関する成分に基づきアップミックス信号の上中央チャンネルを決定する第二の機器と、
を有することを特徴とする装置。
【発明の詳細な説明】
【技術分野】
【０００１】
本発明は、相関比較と疑似ステレオ音響、特に、逆符号化によって、ダウンミックス信号のチャンネル数を増加させる方法及び装置に関する。
【背景技術】
【０００２】
オーディオマルチチャンネル信号は、チャンネル数に比例して、伝送及び保存するためのメモリ量を必要とする。そのため、多くの場合、所謂ダウンミックスにおいてチャンネル数を低減することによって、メモリ量を削減している。従来技術では、元のオーディオマルチチャンネル信号の再構成のために、様々な方法が存在する。
【０００３】
一方において、２個のチャンネルから、これら２個のチャンネル内に共通に存在する信号成分に基づき２個のチャンネルの間に有る追加チャンネルを生成することが知られている。そのために、相関比較が行なわれ、それによって、相関する信号成分を抽出し、そのようにして、相関する信号成分に基づき追加チャンネルを算出している。
それに代わって、ダウンミックス信号の１個のチャンネルから追加チャンネルを算出する所謂疑似ステレオ音響方法を用いることができる。
【０００４】
疑似ステレオ音響方法の特別なケースは、幾何学的パラメータに基づき、１つのモノラル信号から左チャンネルと右チャンネル間における信号成分の配分形態を計算する逆符号化（立体的なオーディオ信号の場合のインバースプロブレムの解決策）である。幾何学的パラメータとしては、例えば、音源とマイクロホン主軸の間の角度、マイクロホンの仮想的な開口角、マイクロホンの仮想的な左開口角、マイクロホンの仮想的な右開口角及びマイクロホンの指向特性の中の一つ以上が考慮の対象となる。これらのパラメータは、ダウンミックス信号と共に伝送するか、ダウンミックスで使用されたパラメータに応じて固定的に選択するか、或いはデフォルト値として規定することもできる。逆符号化は、例えば、特許文献１に開示されている。
【０００５】
（Ｈａｍａｓａｋｉ２２．２とも呼ばれる）ＮＨＫ−２２．２は、２２個のチャンネルと低周波数の２個のバスチャンネルから成る「オーディオサラウンドサウンド」に関する標準である。この標準からは、大抵の普及している「オーディオサラウンドサウンド」に関する標準を導き出すことができる。図１は、Ｈａｍａｓａｋｉ２２．２によるマルチチャンネル信号の２４個のチャンネルに割り当てられたスピーカの位置を模式的に図示している。ここで、そのような２４個のチャンネルを有するマルチチャンネル信号のダウンミックスのために、相関比較などの周知の方法と多数の疑似ステレオ音響方法を組み合わせて、２４個のチャンネルを復元する無数の手法が存在する。同様の問題は、それ以外の標準又は市場に出回っているオーディオフォーマットのオーディオマルチチャンネル信号のダウンミックスからの復元に関しても生じる。
【先行技術文献】
【特許文献】
【０００６】
【特許文献１】国際特許公開第２００９１３８２０５号明細書
【特許文献２】欧州特許公開第１８５０６２９号明細書
【特許文献３】国際特許公開第２００９１３８２０５号明細書
【特許文献４】国際特許公開第２０１１００９６４９号明細書
【特許文献５】国際特許公開第２０１１００９６５０号明細書
【特許文献６】国際特許公開第２０１２０１６９９２号明細書
【特許文献７】国際特許公開第２０１２０３２１７８号明細書
【発明の概要】
【発明が解決しようとする課題】
【０００７】
以上のことから、本発明の課題は、品質に関して最適なアップミックス信号を得るためにアップミックス信号を生成する最適な方法を見出すことである。
【課題を解決するための手段】
【０００８】
本課題は、独立請求項によって解決される。
更に別の実施構成は、従属請求項に記載されている。
以下において、次の図面を参照して、本発明の異なる実施構成を例示して説明する。
【図面の簡単な説明】
【０００９】
【図１】ＮＨＫ−２２．２構成の図
【図２】相関比較に関する実施例の図
【図３】相関比較に関するスペクトル符号比較図
【図４】逆符号化に関する実施例の図
【図５】以下の図面で用いられるシンボルの図
【図６】ダウンミックスの第一の実施例の図
【図７】アップミックスの第一の実施例の図
【図８】ダウンミックスの第二の実施例の図
【図９】アップミックスの第二の実施例の図
【図１０】ダウンミックスの第五の実施例の図
【図１１】アップミックスの第五の実施例の図
【図１２】ダウンミックスの第六の実施例の図
【図１３】アップミックスの第六の実施例の図
【図１４】ダウンミックスの第八の実施例の図
【図１５】アップミックスの第八の実施例の図
【図１６】ダウンミックスの第十の実施例の図
【図１７】アップミックスの第十の実施例の図
【図１８】ダウンミックスの第十一の実施例の図
【図１９】アップミックスの第十一の実施例の図
【図２０】ダウンミックスの第十三の実施例の図
【図２１】アップミックスの第十三の実施例の図
【図２２】ダウンミックスの第十四の実施例の図
【図２３】アップミックスの第十四の実施例の図
【発明を実施するための形態】
【００１０】
図１は、「オーディオサラウンドサウンド」に関する多数の標準と市場に出回っているフォーマットを導き出すことができるＮＨＫ−２２．２構成を図示している。しかし、統一性の理由から、ＮＨＫ−２２．２標準の同じ用語を常に使って、混乱を招かないようにしている。以下では、常にチャンネル位置だけを述べており、それは、チャンネルに割り当てられたスピーカの位置を意味する。この場合、図１の位置は、厳密に限定されるものではなく、単にスピーカの大凡の互いの相対位置を表している。このＮＨＫ−２２．２システムは、下方の面（ボトム層）、真ん中の面（ミドル層）及び上方の層（トップ層）と呼ばれる３つの水平面を有する。「オーディオサラウンドサウンド」に関するそれ以外の多数の標準は、二つ（大抵は真ん中と上方の面）又は上記の３つの面を有し、全ての標準に関して、そのような面と称される。
以下において、ＮＨＫ−２２．２システムの個々のチャンネル位置を略して引用する。
【００１１】
この場合、真ん中の面は、次のチャンネル位置（括弧内に略語）を有し、前方左チャンネル（ＦＬ）、前方中央左チャンネル（ＦＬｃ）、前方中央チャンネル（ＦＣ）、前方中央右チャンネル（ＦＲｃ）、前方右チャンネル（ＦＲ）、側方右チャンネル（ＳｉＲ）、後方右チャンネル（ＢＲ）、後方中央チャンネル（ＢＣ）、後方左チャンネル（ＢＬ）及び側方左チャンネル（ＳｉＬ）を有する。
【００１２】
この場合、上方の面は、次のチャンネル位置（括弧内に略語）を有し、前方左チャンネル（ＴｐＦＬ）、前方中央チャンネル（ＴｐＦＣ）、前方右チャンネル（ＴｐＦＲ）、側方右チャンネル（ＴｐＳｉＲ）、後方右チャンネル（ＴｐＢＲ）、後方中央チャンネル（ＴｐＢＣ）、後方左チャンネル（ＴｐＢＬ）及び側方左チャンネル（ＴｐＳｉＬ）を有する。
【００１３】
下方の面は、次のチャンネル位置（括弧内に略語）を有し、前方左チャンネル（ＢｔＦＬ）、前方中央チャンネル（ＢｔＦＣ）及び前方右チャンネル（ＢｔＦＲ）を有する。
更に、それぞれサブウーハに関して決定される第一の低周波数チャンネル（ＬＦＥ１）と第二の低周波数チャンネル（ＬＦＥ２）も有る。
【００１４】
以下において、ＮＨＫ−２２．２システムの所定のチャンネルに関するアップミックス方法及び装置を示す場合、それらの方法は、ＮＨＫ−２２．２だけでなく、それらのチャンネルを含む全ての標準及び市場に出回っているフォーマットに適用可能である。以下において、前方右チャンネルに言及する場合、それは、ＦＲだけに限定されず、文脈からＦＲチャンネルだけを示すことが明らかである場合を除いて、全ての前方右チャンネルであるＴｐＦＲ、ＦＲｃ及びＢｔＦＲをも含む。このことは、それ以外の全てのチャンネルにも同様に言える。
以下において、ダウンミックス及びアップミックスに関して用いられる技術を短く紹介する。
【００１５】
既に言及した相関比較を実施する多数の手法が存在する。以下では、有利には、２つの入力信号の相関信号及び／又は個別信号を決定するために次の方法を使用するが、本発明を制限するものではない。多数の周波数に関して周波数に依存する第一の入力信号成分と周波数に依存する第二の信号成分を供給し、多数の周波数の中の１つの周波数における周波数に依存する第一の入力信号成分と周波数に依存する第二の信号成分の符号を比較し、この符号の比較に基づき、多数の周波数の中のこの周波数における第一の個別信号の周波数に依存する第一の個別信号成分、第二の個別信号の周波数に依存する第二の個別信号成分及び周波数に依存する共通の信号成分の中の少なくとも一つを決定し、これらの多数の周波数における周波数に依存する第一の個別信号成分、これらの多数の周波数における周波数に依存する第二の個別信号成分及びこれらの多数の周波数における周波数に依存する共通の（「相関する」とも呼ばれる）信号成分の中の一つ以上に基づき少なくとも１つの出力信号を決定することによる、２つの入力信号から少なくとも１つの出力信号を抽出する方法を使用する。
【００１６】
図２は、そのような有利な相関比較方式を図示している。そのために、フーリエ空間表現によるＬｉ’（ｋ）とＲｉ’（ｋ）が未だ得られていない場合、相関比較を実施すべき入力信号ｌｉ’（ｔ）とｒｉ’（ｔ）、例えば、ダウンミックスからのチャンネル又はそれから得られた信号にフーリエ変換を実施する。この相関比較は、周波数ｋ毎に２つの入力信号のスペクトル値Ｌｉ’（ｋ）とＲｉ’（ｋ）の符号を比較することを含む。実数部Ｒｅ（Ｌｉ’（ｋ））とＲｅ（Ｒｉ’（ｋ））の両方が同じ符号を有する場合、Ｒｅ（Ｃｉ（ｋ））は、実数部Ｒｅ（Ｌｉ’（ｋ））とＲｅ（Ｒｉ’（ｋ））の中の絶対値が小さい方又はゼロに近い方に対応する。実数部Ｒｅ（Ｌｉ’（ｋ））とＲｅ（Ｒｉ’（ｋ））の中の絶対値が大きい方に対応する個別信号の実数部Ｒｅ（Ｌｉ’（ｋ）），Ｒｅ（Ｒｉ’（ｋ））が、両方の実数部の差分に対応する（その結果、これらの個別信号の実数部の符号は、それらに対応する入力信号の実数部に対応する）。これらの２つの個別信号のそれ以外の実数部はゼロとなる。このことは、図３に１〜４の場合で図示されている。実数部Ｒｅ（Ｌｉ’（ｋ））とＲｅ（Ｒｉ’（ｋ））が異なる符号を有する場合、相関する信号の実数部はＲｅ（Ｃｉ（ｋ））＝０とされ、第一と第二の個別信号の実数部に関しては、次の式が成り立つ。
Ｒｅ（Ｌｉ（ｋ））＝Ｒｅ（Ｌｉ’（ｋ））及びＲｅ（Ｒｉ（ｋ））＝Ｒｅ（Ｒｉ’（ｋ））
【００１７】
このことは、図３に５〜８の場合で図示されている。同じことが、相関する信号の虚数部Ｉｍ（Ｃｉ（ｋ））、個別信号の虚数部Ｉｍ（Ｌｉ（ｋ））とＩｍ（Ｒｉ（ｋ））、並びに各周波数ｋに関しても実施される。時間空間において、相関する信号Ｃｉ（ｋ）と個別信号Ｌｉ（ｋ）及びＲｉ（ｋ）が必要な場合、これらは、逆フーリエ変換（ＩＦＦＴ）により時間空間に逆変換される。この方法により、用途に応じて、Ｌｉ（ｋ）、Ｒｉ（ｋ）及びＣｉ（ｋ）から、１つ、２つ又は３つの信号が決定される。
【００１８】
ここで述べた相関比較は、定常信号である場合には理論的に正確であるが、オーディオ信号に関しては、多くの場合そうではない。非定常信号に関して実際に相関する信号と相関比較により算出された相関する信号の間の誤差は、残差Δと呼ばれる。ここで、この残差が相関比較毎に一緒に伝送された場合、ダウンミックスにより削減されたチャンネルが、それぞれ残差に関連するチャンネルによって置き換えられ、そのため、データ削減は得られない。以下では、アップミックスに関して残差を修正する異なる技術を述べる。
【００１９】
残差平均値補正は、第一のチャンネルＫ１を第二と第三のチャンネルＫ２，Ｋ３に混合し、第四のチャンネルＫ４を第五と第六のチャンネルＫ５，Ｋ６に混合するダウンミックス信号生成時に第一と第四のチャンネルＫ１’，Ｋ４’を再構成する二回の相関比較を実施するとの考えに基づいている。例えば、次の通り、相関比較毎に、残差Δ１とΔ４が決定されて、
Δ１＝０．５＊（Ｋ１’−Ｋ１）及びΔ４＝０．５＊（Ｋ４’−Ｋ４）
これらから、平均化された残差ΔＭが算出される。この場合、第六のチャンネルＫ６を第三のチャンネルＫ３に対応付け、第一のチャンネルＫ１を第四のチャンネルＫ４に対応付けることもできる。この原理は、三回、四回又はそれ以上の相関比較に一般化することができる。この場合、ダウンミックス装置において、アップミックス装置でも実施される相関比較のための残差が決定されて、平均化される。そのため、平均化された残差ΔＭを伝送することによって、相関比較により決定される多数のチャンネルをアップミックスにおいて修正することができる。異なるサブグループの相関比較を形成して、サブグループ毎に平均化された残差ΔＭＵを伝送することも可能である。各サブグループにおいて、相関比較により算出された全ての相関する信号がそのサブグループの平均化された残差ΔＭＵによって修正される。この残差が上述した通り計算された場合、修正された相関する信号ｃｋが、有利には、以下の式によって表され、
ｃｋ＝ｃ＋２＊ΔＭ
ここで、ｃは相関比較により決定された相関する／共通の信号であり、ΔＭは平均化された残差である。
【００２０】
同様のことが、相関比較が同じであるために、平均化された残差ΔＭにより修正できる残差Δ１又はΔ４が同じである第二と第三のチャンネルＫ２，Ｋ３又は第五と第六のチャンネルＫ５，Ｋ６にも言える。これらの修正された信号ｌｋとｒｋは、有利には、次の式により表される。
ｌｋ＝ｌ−ΔＭ及びｒｋ＝ｒ−ΔＭ
【００２１】
この修正は、周波数空間又は時間空間において実施することができる。詳しくは、未公開のスイス特許出願第２０１３／１７２７号明細書が参照され、残差平均値修正に関する内容を引用して、ここに組み入れる。
【００２２】
以下の実施例において、相関比較により得られたアップミックスチャンネルを使用する場合、それらの得られたアップミックスチャンネルを修正しないか、或いはここで述べた技法又は別の残差修正技法によって修正することが可能である。
【００２３】
逆符号化は、２個のチャンネルへの１つのモノラル信号の信号成分の最適な配分形態をパラメータ手法により計算できる疑似ステレオ音響方法の特別な構成である。１つの実施例では、これらのパラメータがダウンミックス信号と一緒に伝送されて、ダウンミックスの間に、混合されたチャンネルに基づき最適に選択される。しかし、これらのパラメータをダウンミックスにおいて固定的に選択して、アップミックスのために、これらの固定的に選択されたパラメータを見つけ出すことも可能である。アップミックスにおいて、最適な固定パラメータを選択することも可能である。アップミックスにおいて、逆符号化を実施される、ダウンミックス信号のチャンネルの種類に基づきパラメータを選択することも可能である。パラメータとしては、音源とマイクロホン主軸の間の角度、マイクロホンの開口角、マイクロホンの仮想的な左開口角、仮想的な右開口角及び入力信号の指向特性の中の一つ以上が考慮の対象となる。有利には、逆符号化の少なくとも１つの第一の利得と逆符号化の少なくとも１つの第一の遅延が、音源とマイクロホン主軸に基づき、場合によっては、更に、マイクロホンの開口角、特に、マイクロホンの仮想的な左開口角と仮想的な右開口角及び指向特性の中の一つ以上に基づき決定される。第一の中間信号と第二の中間信号は、この逆符号化の少なくとも１つの遅延と少なくとも１つの利得に基づき決定されて、これらの第一の中間信号と第二の中間信号に基づき、アップミックスの第一のチャンネルと第二のチャンネルが決定される。１つの実施例では、逆符号化は、少なくとも１つの重み係数に基づき、それぞれ第一と第二の中間信号の重み付け加算及び／又は重み付け減算によって、これらの第一のチャンネルと第二のチャンネルを生成するように構成される。１つの実施例では、逆符号化において、音源とマイクロホン主軸の間の角度、仮想的な左開口角、仮想的な右開口角及び指向特性に基づき２つの遅延が決定され、場合によっては、更に、これら２つの遅延は、共通の時間係数（ｓ）によって修正される。図４は、そのような逆符号化の例を図示している。逆符号化を実施するための詳細は、特許文献２〜７に見出され、それらの逆符号化に関する内容をここに引用して組み入れる。
【００２４】
データ量を削減する別の手法は、所謂マスキングである。それによって、耳で聞くことができない周波数が、オーディオチャンネルからフィルタにより除去される。これは、個々のチャンネル（モノラルマスキング）に対しても、チャンネル対（ステレオマスキング）に対しても実施される。マスキングの例は、「音声音響統合符号化方式ｖ２」（ＵＳＡＣｖ２）である。
【００２５】
以下において、ｋ個のチャンネルを有するマルチチャンネル信号をｍ個（ｍ＜ｋ）のチャンネルを有するダウンミックス信号にダウンミックスして、このダウンミックス信号をｎ個のチャンネルを有するアップミックス信号にアップミックスするための異なる実施例を説明し、これらの実施例では、ｍ＜ｎ＜＝ｋが成り立つ。ここで述べるプロセスの巧妙な組合せによって、ｍ＜ｋ＜＝ｎとすることも可能であり、それは、例えば、一つ又は複数の出力チャンネルに対して更に逆符号化を実施する場合に容易に理解できる。これらのダウンミックス及びアップミックスプロセスは、以下の図面に模式的に図示されている。
【００２６】
図５は、以下の図面で使用するシンボルを図示している。実線の矢印１００１は、矢印の根元側に有るチャンネルから矢印の先端側に有るチャンネルに対して０．５（−６ｄＢ）で重み付けして加算し、これら２個のチャンネルからダウンミックス信号の１個のチャンネルを生成することを図示している。同じことが、破線の矢印１００２に関して言え、そこでは、重み係数０．５（−６ｄＢ）に代わって、０．７０７１（−３ｄＢ）の重み係数が使用される。同じことが、一点鎖線の矢印１００３に関して言え、そこでは、重み係数０．５（−６ｄＢ）に代わって、１（０ｄＢ）の重み係数が使用される。チャンネルＫ１とＫ３の間の破線による直線１００４は、チャンネルＫ１とＫ３を有するダウンミックス信号から、３個のチャンネルＫ１、Ｋ３及びＫ２に基づきアップミックス信号を生成し、Ｋ２、Ｋ１及びＫ３の中の一つ以上が相関比較により算出されることを意味する。共通のチャンネルＫ１を用いて二回の相関比較が実施される場合、アップミックス信号のチャンネルＫ１は、相関比較により得られたチャンネルＫ２又は相関比較により得られたチャンネルＫ４によって修正される。三角形１００６は、それを構成するダウンミックス信号のチャンネルＫ１又はＫ２の逆符号化によって、それを構成するダウンミックス信号のチャンネルＫ１又はＫ２から第一のチャンネルＫ１と第二のチャンネルＫ２を有するアップミックス信号が得られることを意味する。Ｋ２の所に破線の四角形１００７を有する三角形は、それを構成するダウンミックス信号のチャンネルＫ２の逆符号化によって、それを構成するダウンミックス信号のチャンネルＫ２からアップミックス信号の追加チャンネルＫ１が得られることを意味する。それを構成するチャンネルＫ２は、アップミックス信号に対しても使用されるか、或いはアップミックス信号の別のチャンネルとして更に処理される。
【００２７】
第一の実施例では、ダウンミックス装置において、ｋ＝１３個のチャンネルを有するマルチチャンネル信号がｍ＝４個のチャンネルを有するダウンミックス信号にダウンミックスされ、次に、アップミックス又は符号化装置において、再びｎ＝１３個のチャンネルを有するアップミックス信号にアップミックスされる。この場合、これらのマルチチャンネル信号、ダウンミックス信号及びアップミックス信号は、場合によっては、追加チャンネルを有することもできる。
【００２８】
図６は、マルチチャンネル信号のチャンネルＢｔＦＬ、ＢｔＦＣ、ＢｔＦＲ、ＦＬ、ＦＬｃ、ＦＣ、ＦＲｃ、ＦＲ、ＳｉＲ、ＢＲ、ＢＣ、ＢＬ及びＳｉＬのダウンミックスを図示している。このダウンミックス信号の４個のチャンネルは、以下の通り決定される。
ＦＬ’＝ＦＬ＋０．７０７１＊ＦＬｃ＋０．７０７１＊ＢｔＦＬ＋０．５＊（０．７０７１＊ＢｔＦＣ＋ＦＣ）＋０．５＊ＳｉＬ
ＦＲ’＝ＦＲ＋０．７０７１＊ＦＲｃ＋０．７０７１＊ＢｔＦＲ＋０．５＊（０．７０７１＊ＢｔＦＣ＋ＦＣ）＋０．５＊ＳｉＲ
ＢＲ’＝ＢＲ＋０．５＊ＢＣ＋０．５＊ＳｉＲ
ＢＬ’＝ＢＬ＋０．５＊ＢＣ＋０．５＊ＳｉＬ
【００２９】
これは、前方左ダウンミックスチャンネルＦＬ’がチャンネルＦＬ、ＦＬｃ、ＢｔＦＬ、ＢｔＦＣ、ＦＣ及びＳｉＬの線形的な組合せから生成され、前方右ダウンミックスチャンネルＦＲ’がチャンネルＦＲ、ＦＲｃ、ＢｔＦＲ、ＢｔＦＣ、ＦＣ及びＳｉＲの線形的な組合せから生成され、後方右ダウンミックスチャンネルＢＲ’がチャンネルＢＲ、ＢＣ及びＳｉＲの線形的な組合せから生成され、後方左ダウンミックスチャンネルＢＬ’がチャンネルＢＬ、ＢＣ及びＳｉＬの線形的な組合せから生成されることを意味する。このダウンミックス信号の４個のチャンネルは、更に、ステレオマスキングによって、例えば、ＵＳＡＣｖ２による符号化によって、データ量を削減することができ、そのため、所謂チャンネルペアエレメント（ＣＰＥ）が二つ得られる。
【００３０】
図７は、ダウンミックス信号のチャンネルＦＬ’、ＦＲ’、ＢＬ’及びＢＲ’からのアップミックス信号のチャンネルＢｔＦＬ、ＢｔＦＣ、ＢｔＦＲ、ＦＬ、ＦＬｃ、ＦＣ、ＦＲｃ、ＦＲ、ＳｉＲ、ＢＲ、ＢＣ、ＢＬ及びＳｉＬのアップミックスを図示している。この場合、先ずは中央チャンネルＦＣ、ＳｉＬ、ＳｉＲ、ＢＣを得るために四回の相関比較が次の通り実施される。
Ｋ（ＦＬ’，ＦＲ’）→ＦＣ，（ＦＬ’’，ＦＲ’’）
Ｋ（ＦＲ’，ＢＲ’）→ＳｉＲ，（ＦＲ’’，ＢＲ’’）
Ｋ（ＢＲ’，ＢＬ’）→ＢＣ，（ＢＲ’’，ＢＬ’’）
Ｋ（ＢＬ’，ＦＬ’）→ＳｉＬ，（ＢＬ’’，ＦＬ’’）
これらの頂点チャンネルＦＬ’’、ＦＲ’’、ＢＲ’’及びＢＬ’’は、相関比較による個別信号成分に基づき決定することができる。１つの実施例では、これらの中央チャンネルは（これらの相関比較から得られる頂点チャンネルＦＬ’’、ＦＲ’’、ＢＲ’’、ＢＬ’’又はこれらのチャンネルから又もや得られる頂点チャンネルＦＬ、ＦＲ、ＢＲ、ＢＬも）、ダウンミックス信号と共に伝送される平均化された残差を用いて修正することができる。これらの頂点チャンネルＦＬ、ＦＲ、ＢＲ、ＢＬは、２つの隣り合う中央チャンネルを用いて、ダウンミックス信号のそれらに対応するチャンネルを修正すること、即ち、ＦＬ’に関しては、ＦＣとＳｉＬを用いて修正することなどによって得られる。それに代わって、これらの頂点チャンネルＦＬ、ＦＲ、ＢＲ、ＢＬは、これらの相関比較から、（例えば、そのような相関比較に由来する頂点チャンネルＦＬ’’、ＦＲ’’、ＢＲ’’、ＢＬ’’をそれぞれその相関比較に由来しない隣り合う中央チャンネルに対して修正することによって、）それらに対応する個別信号として直接決定することもできる。異なるパラメータセットＰ（ＢｔＦＬ）とＰ（ＦＬｃ）を用いたチャンネルＦＬの逆符号化は、次の結果を生み出す。
ＢｔＦＬ＝０．７０７１＊Ｉｎｖ（ＦＬ，Ｐ（ＢｔＦＬ））及びＦＬｃ＝０．７０７１＊Ｉｎｖ（ＦＬ，Ｐ（ＦＬｃ））
【００３１】
異なるパラメータセットＰ（ＢｔＦＲ）とＰ（ＦＲｃ）を用いたチャンネルＦＲの逆符号化は、次の結果を生み出す。
ＢｔＦＲ＝０．７０７１＊Ｉｎｖ（ＦＲ，Ｐ（ＢｔＦＲ））及びＦＲｃ＝０．７０７１＊Ｉｎｖ（ＦＲ，Ｐ（ＦＲｃ））
【００３２】
パラメータセットＰ（ＢｔＦＣ）を用いたチャンネルＦＣの逆符号化は、次の結果を生み出す。
ＢｔＦＣ＝０．７０７１＊Ｉｎｖ（ＦＣ，Ｐ（ＢｔＦＣ））
【００３３】
明らかな通り、この逆符号化の出力は、ここでは、０．７０７１（−３ｄＢ）として選択された係数と乗算されているが、それ以外の係数を選択することもできる。そのため、このアップミックス信号の１３個のチャンネルは、ダウンミックス信号の４個のチャンネルの中のＢｔＦＬ，ＢｔＦＣ，ＢｔＦＲ，ＦＬ’又はＦＬ’’，ＦＬＣ，ＦＣ，ＦＲｃ，ＦＲ’又はＦＲ’’，ＳｉＲ，ＢＲ’又はＢＲ’’，ＢＣ，ＢＬ’又はＢＬ’’及びＳｉＬに基づき決定することができる。ダウンミックス信号がサブセットとしてＦＬとＦＲを含む場合、前述した通り、それらからＦＣ，ＢｔＦＬ，ＦＬｃ，ＢｔＦＣ，ＦＲｃ，ＢｔＦＲ又はその部分集合を決定することができる（これらのチャンネルがダウンミックスにおいてＦＬとＦＲに混合されていた場合に決定することができる）。
【００３４】
第二の実施例では、ｋ＝９個のチャンネルを有するマルチチャンネル信号は、ダウンミックス装置において、ｍ＝４個のチャンネルを有するダウンミックス信号にダウンミックスされて、次に、アップミックス又は符号化装置において、再びｎ＝９個のチャンネルを有するアップミックス信号にアップミックスされる。この場合、マルチチャンネル信号、ダウンミックス信号及びアップミックス信号は、場合によっては、追加チャンネルを有することもできる。
【００３５】
図８は、マルチチャンネル信号のチャンネルＴｐＦＬ、ＴｐＦＣ、ＴｐＦＲ、ＴｐＳｉｒ、ＴｐＢＲ、ＴｐＢＣ、ＴｐＢＬ、ＴｐＳｉＬ及びＴｐＣのダウンミックスを図示している。このダウンミックス信号の４個のチャンネルは、以下の通り決定される。
ＴｐＦＬ’＝ＴｐＦＬ＋０．５＊（ＴｐＣ＋ＴｐＳｉＬ＋ＴｐＦＣ）
ＴｐＦＲ’＝ＴｐＦＲ＋０．５＊（ＴｐＣ＋ＴｐＳｉＲ＋ＴｐＦＣ）
ＴｐＢＬ’＝ＴｐＢＬ＋０．５＊（ＴｐＣ＋ＴｐＳｉＬ＋ＴｐＢＣ）
ＴｐＢＲ’＝ＴｐＢＲ＋０．５＊（ＴｐＣ＋ＴｐＳｉＲ＋ＴｐＢＣ）
【００３６】
これは、上前方左ダウンミックスチャンネルＴｐＦＬ’がチャンネルＴｐＦＬ、ＴｐＦＣ、ＴｐＣ及びＴｐＳｉＬの線形的な組合せから生成され、上前方右ダウンミックスチャンネルＴｐＦＲ’がチャンネルＴｐＦＲ、ＴｐＦＣ、ＴｐＣ及びＴｐＳｉＲの線形的な組合せから生成され、上後方右ダウンミックスチャンネルＴｐＢＲ’がチャンネルＴｐＢＲ、ＴｐＢＣ、ＴｐＣ及びＴｐＳｉＲの線形的な組合せから生成され、上後方左ダウンミックスチャンネルＴｐＢＬ’がチャンネルＴｐＢＬ、ＴｐＢＣ、ＴｐＣ及びＴｐＳｉＬの線形的な組合せから生成されることを意味する。このダウンミックスの４個のチャンネルは、更に、ステレオマスキングによって、例えば、ＵＳＡＣｖ２符号化によってデータ量を削減することができ、そのため、所謂チャンネルペアエレメント（ＣＰＥ）を二つ生み出すことができる。
【００３７】
図９は、ダウンミックス信号のチャンネルＴｐＦＬ’、ＴｐＦＲ’、ＴｐＢＬ’及びＴｐＢＲ’からのアップミックス信号のチャンネルＴｐＦＬ、ＴｐＦＣ、ＴｐＦＲ、ＴｐＳｉＲ、ＴｐＢＲ、ＴｐＢＣ、ＴｐＢＬ、ＴｐＳｉＬ及びＴｐＣのアップミックスを図示している。この場合、先ずは中央チャンネルＴｐＦＣ、ＴｐＳｉＬ、ＴｐＳｉＲ、ＴｐＢＣを生み出す次の四回の相関比較が実施される。
Ｋ（ＴｐＦＬ’，ＴｐＦＲ’）→ＴｐＦＣ，（ＴｐＦＬ’’，ＴｐＦＲ’’）
Ｋ（ＴｐＦＲ’，ＴｐＢＲ’）→ＴｐＳｉＲ，（ＴｐＦＲ’’，ＴｐＢＲ’）
Ｋ（ＴｐＢＲ’，ＴｐＢＬ’）→ＴｐＢＣ，（ＴｐＢＲ’’，ＴｐＢＬ’’）
Ｋ（ＴｐＢＬ’，ＴｐＦＬ’）→ＴｐＳｉＬ，（ＴｐＢＬ’’，ＴｐＦＬ’’）
１つの実施例において、これらの中央チャンネルは（これらの相関比較から得られる頂点チャンネルＴｐＦＬ’’、ＴｐＦＲ’’、ＴｐＢＲ’’、ＴｐＢＬ’’又はこれらのチャンネルから得られる頂点チャンネルＴｐＦＬ、ＴｐＦＲ、ＴｐＢＲ、ＴｐＢＬも）、ダウンミックス信号と共に伝送される平均化された残差により修正することができる。これらの頂点チャンネルＴｐＦＬ、ＴｐＦＲ、ＴｐＢＲ、ＴｐＢＬは、２つの隣り合う中央チャンネルを用いてダウンミックス信号のそれに対応するチャンネルＴｐＦＬ’、ＴｐＦＲ’、ＴｐＢＲ’、ＴｐＢＬ’を修正すること、即ち、ＴｐＦＬ’に関しては、ＴｐＦＣとＴｐＳｉＬを用いて修正することなどによって得られる。それに代わって、これらの頂点チャンネルＴｐＦＬ、ＴｐＦＲ、ＴｐＢＲ、ＴｐＢＬは、相関比較から（例えば、そのような相関比較から由来する頂点チャンネルＴｐＦＬ’’、ＴｐＦＲ’’、ＴｐＢＲ’’、ＴｐＢＬ’’をその相関比較から由来しないそれぞれ隣接する中央チャンネルに対して修正することによって）それに対応する個別信号として直接決定することもできる。ＴｐＣは、例えば、重み係数を乗算することによって、ＴｐＳｉＬとＴｐＳｉＲの合計に基づき得られる。これは、例えば、ＴｐＣ＝０．７８５２＊０．５（ＴｐＳｉＬ＋ＴｐＳｉＲ）によって決定することができる。
【００３８】
第三の実施例では、ｋ＝２２個のチャンネル（ＮＨＫ−２２．２構成）を有するマルチチャンネル信号は、ダウンミックス装置において、ｍ＝８個のチャンネルを有するダウンミックス信号にダウンミックスされて、次に、アップミックス又は符号化装置において、再びｎ＝２２個のチャンネルを有するアップミックス信号にアップミックスされる。この場合、マルチチャンネル信号、ダウンミックス信号及びアップミックス信号は、場合によっては、追加チャンネルを有することもできる。これは、第一と第二の実施例の組合せによって実現される。
【００３９】
第十の実施例では、ｋ＝５個のチャンネルを有するマルチチャンネル信号は、ダウンミックス装置において、ｍ＝４個のチャンネルを有するダウンミックス信号にダウンミックスされて、次に、アップミックス又は符号化装置において、再びｎ＝５個のチャンネルを有するアップミックス信号にアップミックスされる。この場合、マルチチャンネル信号、ダウンミックス信号及びアップミックス信号は、場合によっては、追加チャンネルを有することもできる。このマルチチャンネル信号は、チャンネルＦＲ、ＦＣ、ＦＬ、ＢＬ及びＢＲを有する。
【００４０】
図１６は、第十の実施例のダウンミックスを図示している。そのために、マルチチャンネル信号のチャンネルＦＣは、同じ配分率で（有利には、０．５で重み付けされて）ＦＲとＦＬに混合され、チャンネルＦＲ’＝ＦＲ＋０．５＊ＦＣ及びチャンネルＦＬ’＝ＦＬ＋０．５＊ＦＣが得られる。それにより、ダウンミックス信号は、チャンネルＦＲ’、ＦＬ’、ＢＲ及びＢＬを有する。図１７は、ダウンミックス信号のＦＬ’とＦＲ’からのアップミックス信号のチャンネルＦＬ、ＦＣ及びＦＲのアップミックスを図示している。この場合、次の相関比較が実施される。
Ｋ（ＦＬ’，ＦＲ’）→ＦＣ，（ＦＬ，ＦＲ）
これらのアップミックス信号のチャンネルＦＲとＦＬは、ＦＣを用いて修正されたＦＲ’とＦＣを用いて修正されたＦＬ’とに基づき決定することができる。それにより、チャンネルＦＲ、ＦＣ、ＦＬ、ＢＲ及びＢＬを有するアップミックス信号が得られる。有利には、このダウンミックス信号のチャンネルペアＢＲ−ＢＬ及び／又はＦＲ’−ＦＬ’は、ステレオマスキング、例えば、ＵＳＡＣｖ２符号化を実施されて、それにより、所謂チャンネルペアエレメント（ＣＰＥ）を二つ生み出す。
【００４１】
第四の実施例では、ｋ＝１４個のチャンネルを有するマルチチャンネル信号は、ダウンミックス装置において、ｍ＝８個のチャンネルを有するダウンミックス信号にダウンミックスされて、次に、アップミックス又は符号化装置において、再びｎ＝１４個のチャンネルを有するアップミックス信号にアップミックスされる。この場合、マルチチャンネル信号、ダウンミックス信号及びアップミックス信号は、場合によっては、追加チャンネルを有することもできる。このマルチチャンネル信号は、チャンネルＦＲ、ＦＣ、ＦＬ、ＢＬ、ＢＲ、ＴｐＦＬ、ＴｐＦＣ、ＴｐＦＲ、ＴｐＳｉＲ、ＴｐＢＲ、ＴｐＢＣ、ＴｐＢＬ、ＴｐＳｉＬ及びＴｐＣを有する。これらのチャンネルＴｐＦＬ、ＴｐＦＣ、ＴｐＦＲ、ＴｐＳｉＲ、ＴｐＢＲ、ＴｐＢＣ、ＴｐＢＬ、ＴｐＳｉＬ及びＴｐＣは、第二の実施例及び図８に図示されている通り、ダウンミックス信号ＴｐＦＬ’、ＴｐＦＲ’、ＴｐＢＬ’及びＴｐＢＲ’にダウンミックスされる。第二の実施例及び図９に図示されている通り、このダウンミックス信号のチャンネルＴｐＦＬ’、ＴｐＦＲ’、ＴｐＢＬ’及びＴｐＢＲ’から、アップミックス信号のチャンネルＴｐＦＬ、ＴｐＦＣ、ＴｐＦＲ、ＴｐＳｉＲ、ＴｐＢＲ、ＴｐＢＣ、ＴｐＢＬ、ＴｐＳｉＬ及びＴｐＣが決定される。これらのチャンネルＦＲ、ＦＣ、ＦＬ、ＢＬ及びＢＲは、第十の実施例及び図１６に図示されている通り、ダウンミックス信号ＦＲ’、ＦＬ’、ＢＬ及びＢＲにダウンミックスされる。第十の実施例及び図１７に図示されている通り、このダウンミックス信号のチャンネルＦＲ’、ＦＬ’、ＢＬ及びＢＲから、アップミックス信号のチャンネルＦＲ、ＦＣ、ＦＬ、ＢＬ及びＢＲが決定される。
【００４２】
第五の実施例では、ｋ＝２２個のチャンネル（ＮＨＫ−２２．２構成）を有するマルチチャンネル信号は、ダウンミックス装置において、ｍ＝６個のチャンネルを有するダウンミックス信号にダウンミックスされて、次に、アップミックス又は符号化装置において、再びｎ＝２２個のチャンネルを有するアップミックス信号にアップミックスされる。この場合、マルチチャンネル信号、ダウンミックス信号及びアップミックス信号は、場合によっては、追加チャンネルを有することもできる。
【００４３】
図１０は、マルチチャンネル信号のチャンネルＴｐＣ、ＴｐＢＣ、ＢｔＦＬ、ＢｔＦＣ、ＢｔＦＲ、ＦＬ、ＦＬｃ、ＦＣ、ＦＲｃ、ＦＲ、ＳｉＲ、ＢＲ、ＢＣ、ＢＬ及びＳｉＬのダウンミックスを図示している。このダウンミックス信号の４個のチャンネルは、以下の通り決定される。
ＦＬ’＝ＦＬ＋０．７０７１＊ＦＬｃ＋０．７０７１＊ＢｔＦＬ＋０．５＊（０．７０７１＊ＢｔＦＣ＋ＦＣ）＋０．５＊ＳｉＬ
ＦＲ’＝ＦＲ＋０．７０７１＊ＦＲｃ＋０．７０７１＊ＢｔＦＲ＋０．５＊（０．７０７１＊ＢｔＦＣ＋ＦＣ）＋０．５＊ＳｉＲ
ＢＲ’＝ＢＲ＋０．５＊（ＳｉＲ＋０．７０７１＊（（ＴｐＣ＊０．５＊ＴｐＢＣ）＋ＢＣ））
ＢＬ’＝ＢＬ＋０．５＊（ＳｉＬ＋０．７０７１＊（（ＴｐＣ＊０．５＊ＴｐＢＣ）＋ＢＣ））
【００４４】
これは、前方左ダウンミックスチャンネルＦＬ’と前方右ダウンミックスチャンネルＦＲ’が図６の第一の実施例の通り決定されることを意味する。後方左ダウンミックスチャネルＢＬ’と後方右ダウンミックスチャネルＢＲ’は、図６の第一の実施例の通り決定されるが、ＴｐＢＣとＴｐＣの追加チャンネル成分がＢＲ’とＢＬ’に含まれることが相違する。
【００４５】
図１１は、ダウンミックス信号のチャンネルＦＬ’、ＦＲ’、ＢＬ’及びＢＲ’からのアップミックス信号のチャンネルＴｐＣ、ＴｐＢＣ、ＢｔＦＬ、ＢｔＦＣ、ＢｔＦＲ、ＦＬ、ＦＬｃ、ＦＣ、ＦＲｃ、ＦＲ、ＳｉＲ、ＢＲ、ＢＣ、ＢＬ及びＳｉＬのアップミックスを図示している。このアップミックス信号のチャンネルＢｔＦＬ、ＢｔＦＣ、ＢｔＦＲ、ＦＬ、ＦＬｃ、ＦＣ、ＦＲｃ、ＦＲ、ＳｉＲ、ＢＲ、ＢＣ、ＢＬ及びＳｉＬは、図７の第一の実施例の通り、ダウンミックス信号の４個のチャンネルから決定される。ここで、更に、パラメータセットＰ（ＴｐＢＣ）を用いたチャンネルＢＣの以下の逆符号化が実施される。
ＴｐＢＣ＝０．７０７１＊Ｉｎｖ（ＢＣ，Ｐ（ＴｐＢＣ））
【００４６】
このＴｐＣは、チャンネルＢＣの増幅から決定される。この増幅は、有利には、１よりも大きい、更に良くは、２よりも大きい増幅率により、特に、ＴｐＣ＝２．２６４６＊ＢＣにより決定される。それにより、アップミックス信号の１５個のチャンネルは、ＴｐＣ、ＴｐＢＣ、ＢｔＦＬ、ＢｔＦＣ、ＢｔＦＲ、ＦＬ’又はＦＬ’’（上記を参照）、ＦＬｃ、ＦＣ、ＦＲｃ、ＦＲ’又はＦＲ’’、ＳｉＲ、ＢＲ’又はＢＲ’’、ＢＣ、ＢＬ’又はＢＬ’’及びＳｉＬに基づきダウンミックス信号の４個のチャンネルから決定することができる。ダウンミックス信号がサブセットとしてＦＬとＦＲを含む場合、前述した通り、ＦＣ，ＢｔＦＬ，ＦＬｃ，ＢｔＦＣ，ＦＲｃ，ＢｔＦＲ又はその部分集合は、これらのチャンネルをダウンミックスでＦＬとＦＲに混合することにより、それらから決定することができる。
【００４７】
第六の実施例では、ｋ＝７個のチャンネルを有するマルチチャンネル信号は、ダウンミックス装置において、ｍ＝２個のチャンネルを有するダウンミックス信号にダウンミックスされて、次に、アップミックス又は符号化装置において、再びｎ＝７個のチャンネルを有するアップミックス信号にアップミックスされる。この場合、マルチチャンネル信号、ダウンミックス信号及びアップミックス信号は、場合によっては、追加チャンネルを有することもできる。
【００４８】
図１２は、マルチチャンネル信号のチャンネルＴｐＦＬ、ＴｐＦＣ、ＴｐＦＲ、ＴｐＳｉＲ、ＴｐＢＲ、ＴｐＢＬ及びＴｐＳｉＬのダウンミックスを図示している。このダウンミックス信号の２個のチャンネルは、以下の通り決定される。
ＴｐＦＬ’＝ＴｐＦＬ＋０．５＊ＴｐＦＣ＋ＴｐＳｉＬ＋０．７０７１＊ＴｐＢＬ
ＴｐＦＲ’＝ＴｐＦＲ＋０．５＊ＴｐＦＣ＋ＴｐＳｉＲ＋０．７０７１＊ＴｐＢＲ
【００４９】
これは、上前方左ダウンミックスチャネルＴｐＦＬ’がチャンネルＴｐＦＬ、ＴｐＦＣ、ＴｐＢＬ及びＴｐＳｉＬの線形的な組合せから生成され、上前方右ダウンミックスチャネルＴｐＦＲ’がチャンネルＴｐＦＲ、ＴｐＦＣ、ＴｐＢＲ及びＴｐＳｉＲの線形的な組合せから生成されることを意味する。このダウンミックスの２個のチャンネルは、更に、ステレオマスキングによって、例えば、ＵＳＡＣｖ２符号化によってデータ量を削減されて、それにより所謂チャンネルペアエレメント（ＣＰＥ）を一つ生み出すことができる。
【００５０】
図１３は、ダウンミックス信号のチャンネルＴｐＦＬ’とＴｐＦＲ’からのアップミックス信号のチャンネルＴｐＦＬ、ＴｐＦＣ、ＴｐＦＲ、ＴｐＳｉＲ、ＴｐＢＲ、ＴｐＢＬ及びＴｐＳｉＬのアップミックスを図示している。この場合、先ずは中央チャンネルＴｐＦＣと頂点チャンネルＴｐＦＲ及びＴｐＦＬを生み出す次の相関比較が実施される。
Ｋ（ＴｐＦＬ’，ＴｐＦＲ’）→ＴｐＦＣ，（ＴｐＦＬ，ＴｐＦＲ）
それに代わって、このアップミックス信号のチャンネルＴｐＦＲとＴｐＦＬは、ＴｐＦＣを用いて修正されたＴｐＦＲ’とＴｐＦＣを用いて修正されたＴｐＦＬ’とに基づき決定することもできる。それにより、チャンネルＴｐＦＲ、ＴｐＦＣ、ＴｐＦＬを有するアップミックス信号の第一のサブセットが得られる。
【００５１】
パラメータセットＰ（ＴｐＳｉＬ）を用いたチャンネルＴｐＦＬの逆符号化は次の結果を生み出す。
ＴｐＳｉＬ＝Ｉｎｖ（ＴｐＦＬ，Ｐ（ＴｐＳｉＬ））
【００５２】
その後、パラメータセットＰ（ＴｐＢＬ）を用いたチャンネルＴｐＳｉＬの逆符号化が実施されて、次の結果を生み出す。
ＴｐＢＬ＝０．７０７１＊Ｉｎｖ（ＴｐＳｉＬ，Ｐ（ＴｐＢＬ））
【００５３】
パラメータセットＰ（ＴｐＳｉＲ）を用いたチャンネルＴｐＦＲの逆符号化は次の結果を生み出す。
ＴｐＳｉＲ＝Ｉｎｖ（ＴｐＦＲ，Ｐ（ＴｐＳｉＲ））
【００５４】
その後、パラメータセットＰ（ＴｐＢＲ）を用いたチャンネルＴｐＳｉＲの逆符号化が実施されて、次の結果を生み出す。
ＴｐＢＲ＝０．７０７１＊Ｉｎｖ（ＴｐＳｉＲ，Ｐ（ＴｐＢＲ））
【００５５】
そのため、チャンネルＴｐＦＣの相関比較によって、アップミックス信号のチャンネルＴｐＦＬとＴｐＦＲが得られ、逆符号化によって、チャンネルＴｐＳｉＲ、ＴｐＢＲ、ＴｐＢＬ及びＴｐＳｉＬが得られる。
【００５６】
第七の実施例では、ｋ＝２２個のチャンネル（ＮＨＫ−２２．２構成）を有するマルチチャンネル信号は、ダウンミックス装置において、ｍ＝６個のチャンネルを有するダウンミックス信号にダウンミックスされて、次に、アップミックス又は符号化装置において、再びｎ＝２２個のチャンネルを有するアップミックス信号にアップミックスされる。この場合、マルチチャンネル信号、ダウンミックス信号及びアップミックス信号は、場合によっては、追加チャンネルを有することもできる。これは、第五と第六の実施例の組合せによって実現される。
【００５７】
第八の実施例では、ｋ＝７個のチャンネルを有するマルチチャンネル信号は、ダウンミックス装置において、ｍ＝４個のチャンネルを有するダウンミックス信号にダウンミックスされて、次に、アップミックス又は符号化装置において、再びｎ＝７個のチャンネルを有するアップミックス信号にアップミックスされる。この場合、マルチチャンネル信号、ダウンミックス信号及びアップミックス信号は、場合によっては、追加チャンネルを有することもできる。
【００５８】
図１４は、マルチチャンネル信号のチャンネルＦＬ、ＦＣ、ＦＲ、ＢＲ、ＢＬ、ＴｐＢＣ及びＴｐＣのダウンミックスを図示している。このダウンミックス信号の４個のチャンネルは、以下の通り決定される。
ＦＬ’＝ＦＬ＋０．５＊ＦＣ
ＦＲ’＝ＦＲ＋０．５＊ＦＣ
ＢＲ’＝ＢＲ＋０．５＊（ＴｐＣ＋０．３５４８＊ＴｐＢＣ）
ＢＬ’＝ＢＬ＋０．５＊（ＴｐＣ＋０．３５４８＊ＴｐＢＣ）
【００５９】
これは、前方左ダウンミックスチャネルＦＬ’がチャンネルＦＬ及びＦＣの線形的な組合せから生成され、前方右ダウンミックスチャネルＦＲ’がチャンネルＦＲ及びＦＣの線形的な組合せから生成され、後方右ダウンミックスチャネルＢＲ’がチャンネルＢＲ、ＴｐＣ及びＴｐＢＣの線形的な組合せから生成され、後方左ダウンミックスチャネルＢＬ’がチャンネルＢＬ、ＴｐＣ及びＴｐＢＣの線形的な組合せから生成されることを意味する。このダウンミックス信号の４個のチャンネルは、更に、チャンネルペアのステレオマスキング、例えば、ＵＳＡＣｖ２符号化によってデータ量を削減されて、それにより所謂チャンネルペアエレメント（ＣＰＥ）を二つ生み出すことができる。
【００６０】
図１５は、ダウンミックス信号のチャンネルＦＬ’、ＦＲ’、ＢＬ’及びＢＲ’からのアップミックス信号のチャンネルＦＬ、ＦＣ、ＦＲ、ＢＲ、ＢＬ、ＴｐＢＣ及びＴｐＣのアップミックスを図示している。この場合、先ずは中央チャンネルＦＣとチャンネルＦＬ及びＦＲ又は中央チャンネルのアップミックスセンタとチャンネルＢＲ及びＢＬを生み出す次の二回の相関比較が実施され、このアップミックスセンタのチャンネルは、単に１つの中間信号であり、アップミックス信号の後方中央チャンネルＢＣを生成しない。
Ｋ（ＦＬ’，ＦＲ’）→ＦＣ，（ＦＬ，ＦＲ）
Ｋ（ＢＬ’，ＢＲ’）→アップミックスセンタ，（ＢＬ，ＢＲ）
それに代わって、このアップミックス信号のチャンネルＦＲとＦＬ又はチャンネルＢＲとＢＬは、ＦＣを用いて修正されたＦＲ’とＦＣを用いて修正されたＦＬ’とに基づき、或いはＢＣを用いて修正されたＢＲ’とＢＣを用いて修正されたＢＬ’とに基づき決定することもできる。それにより、チャンネルＦＲ、ＦＣ、ＦＬ及びチャンネルＢＲ、ＢＣ、ＢＬを有するアップミックス信号の第一のサブセットが得られる。
【００６１】
これらのチャンネルＴｐＣとＴｐＢＣは、例えば、以下の式によって、中間信号のアップミックスセンタに基づき決定される。
ＴｐＣ＝５．６２３４＊アップミックスセンタ
ＴｐＢＣ＝０．５＊アップミックスセンタ
【００６２】
有利には、ＴｐＣは、１よりも大きい、２よりも大きい、３よりも大きい、４よりも大きい、或いは５よりも大きい増幅率でのアップミックスセンタの増幅により決定され、ＴｐＢＣは、１よりも小さい増幅率での減衰によって決定される。そのため、ＦＲ’とＦＬ’の相関比較によって、アップミックス信号のチャンネルＦＲ、ＦＣ及びＦＬが得られ、ＢＬ’とＢＲ’の相関比較によって、チャンネルＢＲ、ＢＬ、ＴｐＣ及びＴｐＢＣが得られる。
【００６３】
第九の実施例では、ｋ＝１４個のチャンネルを有するマルチチャンネル信号は、ダウンミックス装置において、ｍ＝６個のチャンネルを有するダウンミックス信号にダウンミックスされて、次に、アップミックス又は符号化装置において、再びｎ＝１４個のチャンネルを有するアップミックス信号にアップミックスされる。この場合、マルチチャンネル信号、ダウンミックス信号及びアップミックス信号は、場合によっては、追加チャンネルを有することもできる。このマルチチャンネル信号は、チャンネルＦＲ、ＦＣ、ＦＬ、ＢＬ、ＢＲ、ＴｐＦＬ、ＴｐＦＣ、ＴｐＦＲ、ＴｐＳｉＲ、ＴｐＢＲ、ＴｐＢＣ、ＴｐＢＬ、ＴｐＳｉＬ及びＴｐＣを有する。これらのチャンネルＴｐＦＬ、ＴｐＦＣ、ＴｐＦＲ、ＴｐＳｉＲ、ＴｐＢＲ、ＴｐＢＬ及びＴｐＳｉＬは、第六の実施例及び図１２に図示されている通り、２つのダウンミックス信号ＴｐＦＬ’とＴｐＦＲ’にダウンミックスされる。このダウンミックス信号のチャンネルＴｐＦＬ’とＴｐＦＲ’から、第六の実施例及び図１３に図示されている通り、アップミックス信号のチャンネルＴｐＦＬ、ＴｐＦＣ、ＴｐＦＲ、ＴｐＳｉＲ、ＴｐＢＲ、ＴｐＢＬ及びＴｐＳｉＬが決定される。これらのチャンネルＦＬ、ＦＣ、ＦＲ、ＢＲ、ＢＬ、ＴｐＢＣ及びＴｐＣは、第八の実施例及び図１４に図示されている通り、４つのダウンミックス信号ＦＬ’、ＦＲ’、ＢＬ’及びＢＲ’にダウンミックスされる。このダウンミックス信号のチャンネルＦＬ’、ＦＲ’、ＢＬ’及びＢＲ’から、第八の実施例及び図１５に図示されている通り、アップミックス信号のチャンネルＦＬ、ＦＣ、ＦＲ、ＢＲ、ＢＬ、ＴｐＢＣ及びＴｐＣが決定される。
【００６４】
第十一の実施例では、ｋ＝６個のチャンネルを有するマルチチャンネル信号は、ダウンミックス装置において、ｍ＝４個のチャンネルを有するダウンミックス信号にダウンミックスされて、次に、アップミックス又は符号化装置において、再びｎ＝６個のチャンネルを有するアップミックス信号にアップミックスされる。この場合、マルチチャンネル信号、ダウンミックス信号及びアップミックス信号は、場合によっては、追加チャンネルを有することもできる。
【００６５】
図１８は、マルチチャンネル信号のチャンネルＴｐＦＬ、ＴｐＦＣ、ＴｐＦＲ、ＴｐＢＲ、ＴｐＢＬ及びＴｐＣのダウンミックスを図示している。このダウンミックス信号の４個のチャンネルは、以下の通り決定される。
ＴｐＦＬ’＝ＴｐＦＬ＋０．５＊ＴｐＦＣ
ＴｐＦＲ’＝ＴｐＦＲ＋０．５＊ＴｐＦＣ
ＴｐＢＬ’＝ＴｐＢＬ＋０．５＊ＴｐＣ
ＴｐＢＲ’＝ＴｐＢＲ＋０．５＊ＴｐＣ
【００６６】
これは、上前方左ダウンミックスチャネルＴｐＦＬ’がチャンネルＴｐＦＬ及びＴｐＦＣの線形的な組合せから生成され、上前方右ダウンミックスチャネルＴｐＦＲ’がチャンネルＴｐＦＲ及びＴｐＦＣの線形的な組合せから生成され、上後方左ダウンミックスチャネルＴｐＢＬ’がチャンネルＴｐＢＬとＴｐＣの線形的な組合せから生成され、上後方右ダウンミックスチャネルＴｐＢＲ’がチャンネルＴｐＢＲとＴｐＣの線形的な組合せから生成されることを意味する。このダウンミックスの４個のチャンネルは、更に、ステレオマスキング、例えば、ＵＳＡＣｖ２符号化によってデータ量を削減されて、それにより所謂チャンネルペアエレメント（ＣＰＥ）を二つ生み出すことができる。
【００６７】
図１９は、ダウンミックス信号のチャンネルＴｐＢＬ’、ＴｐＢＲ’、ＴｐＦＬ’及びＴｐＦＲ’からのアップミックス信号のチャンネルＴｐＦＬ、ＴｐＦＣ、ＴｐＦＲ、ＴｐＢＲ、ＴｐＢＬ及びＴｐＣのアップミックスを図示している。この場合、中央チャンネルＴｐＦＣとチャンネルＴｐＦＬ及びＴｐＦＲ又は中央チャンネルのアップミックスセンタとチャンネルＴｐＢＲ及びＴｐＢＬを生み出す次の二回の相関比較が実施され、アップミックスセンタのチャンネルは、単に１つの中間信号であり、アップミックス信号のＴｐＣを直接生成する。
Ｋ（ＴｐＦＬ’，ＴｐＦＲ’）→ＴｐＦＣ，（ＴｐＦＬ，ＴｐＦＲ）
Ｋ（ＴｐＢＬ’，ＴｐＢＲ’）→ＴｐＣ，（ＴｐＢＬ，ＴｐＢＲ）
それに代わって、このアップミックス信号のチャンネルＴｐＦＲとＴｐＦＬ又はチャンネルＴｐＢＲとＴｐＢＬは、ＴｐＦＣを用いて修正されたＴｐＦＲ’とＴｐＦＣを用いて修正されたＴｐＦＬ’とに基づき、或いはＴｐＢＣを用いて修正されたＴｐＢＲ’とＴｐＢＣを用いて修正されたＴｐＢＬ’とに基づき決定することもできる。
【００６８】
第十二の実施例では、ｋ＝１１個のチャンネルを有するマルチチャンネル信号は、ダウンミックス装置において、ｍ＝８個のチャンネルを有するダウンミックス信号にダウンミックスされて、次に、アップミックス又は符号化装置において、再びｎ＝１１個のチャンネルを有するアップミックス信号にアップミックスされる。この場合、マルチチャンネル信号、ダウンミックス信号及びアップミックス信号は、場合によっては、追加チャンネルを有することもできる。この第十二の実施例は、第十と第十一の実施例の組合せから構成される。
【００６９】
第十三の実施例では、ｋ＝８個のチャンネルを有するマルチチャンネル信号は、ダウンミックス装置において、ｍ＝４個のチャンネルを有するダウンミックス信号にダウンミックスされて、次に、アップミックス又は符号化装置において、再びｎ＝８個のチャンネルを有するアップミックス信号にアップミックスされる。この場合、マルチチャンネル信号、ダウンミックス信号及びアップミックス信号は、場合によっては、追加チャンネルを有することもできる。
【００７０】
図２０は、マルチチャンネル信号のチャンネルＦＬ、ＦＣ、ＦＲ、ＢＲ、ＢＬ、ＴｐＢＬ、ＴｐＢＲ及びＴｐＣのダウンミックスを図示している。このダウンミックス信号の４個のチャンネルは、以下の通り決定される。
ＦＬ’＝ＦＬ＋０．５＊ＦＣ
ＦＲ’＝ＦＲ＋０．５＊ＦＣ
ＢＬ’＝ＢＬ＋０．５＊ＴｐＣ＋０．７０７１＊ＴｐＢＬ
ＢＲ’＝ＢＲ＋０．５＊ＴｐＣ＋０．７０７１＊ＴｐＢＲ
【００７１】
これは、前方左ダウンミックスチャネルＦＬ’がチャンネルＦＬ及びＦＣの線形的な組合せから生成され、前方右ダウンミックスチャネルＦＲ’がチャンネルＦＲ及びＦＣの線形的な組合せから生成され、後方左ダウンミックスチャネルＢＬ’がチャンネルＢＬ、ＴｐＢＬ及びＴｐＣの線形的な組合せから生成され、後方右ダウンミックスチャネルＢＲ’がチャンネルＢＲ、ＴｐＢＲ及びＴｐＣの線形的な組合せから生成されることを意味する。このダウンミックス信号の４個のチャンネルは、更に、ステレオマスキング、例えば、ＵＳＡＣｖ２符号化によってデータ量を削減されて、それにより所謂チャンネルペアエレメント（ＣＰＥ）を二つ生み出すことができる。
【００７２】
図２１は、ダウンミックス信号のチャンネルＢＬ’、ＢＲ’、ＦＬ’及びＦＲ’からのアップミックス信号のチャンネルＦＬ、ＦＣ、ＦＲ、ＢＲ、ＢＬ、ＴｐＢＲ、ＴｐＢＬ及びＴｐＣのアップミックスを図示している。この場合、先ずは中央チャンネルＦＣとチャンネルＦＬ及びＦＲ又は中央チャンネルのアップミックスセンタとチャンネルＢＲ及びＢＬを生み出す次の二回の相関比較が実施され、アップミックスセンタのチャンネルは、単に１つの中間信号であり、アップミックス信号の後方中央チャンネルＢＣではなく、むしろアップミックス信号のＴｐＣを生成する。
Ｋ（ＦＬ’，ＦＲ’）→ＦＣ，（ＦＬ，ＦＲ）
Ｋ（ＢＬ’，ＢＲ’）→アップミックスセンタ，（ＢＬ，ＢＲ）
それに代わって、このアップミックス信号のチャンネルＦＲとＦＬ又はチャンネルＢＲとＢＬは、ＦＣを用いて修正されたＦＲ’とＦＣを用いて修正されたＦＬ’とに基づき、或いはアップミックスセンタを用いて修正されたＢＲ’とアップミックスセンタを用いて修正されたＢＬ’とに基づき決定することもできる。それにより、チャンネルＦＲ、ＦＣ、ＦＬとチャンネルＢＲ、ＢＬ及びアップミックスセンタを有するアップミックス信号の第一のサブセットが得られる。
【００７３】
パラメータセットＰ（ＴｐＢＬ）を用いたチャンネルＢＬの逆符号化は、次の結果を生み出す。
ＴｐＢＬ＝０．７０７１＊Ｉｎｖ（ＢＬ，Ｐ（ＴｐＢＬ））
【００７４】
パラメータセットＰ（ＴｐＢＲ）を用いたチャンネルＢＲの逆符号化は、次の結果を生み出す。
ＴｐＢＲ＝０．７０７１＊Ｉｎｖ（ＢＲ，Ｐ（ＴｐＢＲ））
【００７５】
そのため、相関比較によって、アップミックス信号のチャンネルＦＲ、ＦＣ及びＦＬが得られ、ＢＬ’とＢＲ’の相関比較によって、チャンネルＢＲ、ＢＬ及びＴｐＣが得られ、逆符号化によって、チャンネルＴｐＢＬとＴｐＢＲが得られる。
【００７６】
第十四の実施例では、ｋ＝３個のチャンネルを有するマルチチャンネル信号は、ダウンミックス装置において、ｍ＝２個のチャンネルを有するダウンミックス信号にダウンミックスされて、次に、アップミックス又は符号化装置において、再びｎ＝３個のチャンネルを有するアップミックス信号にアップミックスされる。この場合、マルチチャンネル信号、ダウンミックス信号及びアップミックス信号は、場合によっては、追加チャンネルを有することもできる。
【００７７】
図２２は、マルチチャンネル信号のチャンネルＴｐＦＬ、ＴｐＦＣ及びＴｐＦＲのダウンミックスを図示している。このダウンミックス信号の２個のチャンネルは、以下の通り決定される。
ＴｐＦＬ’＝ＴｐＦＬ＋０．５＊ＴｐＦＣ
ＴｐＦＲ’＝ＴｐＦＲ＋０．５＊ＴｐＦＣ
【００７８】
これは、上前方左ダウンミックスチャネルＴｐＦＬ’がチャンネルＴｐＦＬ及びＴｐＦＣの線形的な組合せから生成され、上前方右ダウンミックスチャネルＴｐＦＲ’がチャンネルＴｐＦＲ及びＴｐＦＣの線形的な組合せから生成されることを意味する。このダウンミックス信号の２個のチャンネルは、更に、ステレオマスキング、例えば、ＵＳＡＣｖ２符号化によってデータ量を削減されて、それにより所謂チャンネルペアエレメント（ＣＰＥ）を一つ生み出すことができる。
【００７９】
図２３は、ダウンミックス信号のチャンネルＴｐＦＬ’とＴｐＦＲ’からのアップミックス信号のチャンネルＴｐＦＬ、ＴｐＦＣ及びＴｐＦＲのアップミックスを図示している。そのために、中央チャンネルＴｐＦＣと頂点チャンネルＴｐＦＲ及びＴｐＦＬを生み出す次の相関比較が実施される。
Ｋ（ＴｐＦＬ’，ＴｐＦＲ’）→ＴｐＦＣ，（ＴｐＦＬ，ＴｐＦＲ）
それに代わって、このアップミックス信号のチャンネルＴｐＦＲとＴｐＦＬは、ＴｐＦＣを用いて修正されたＴｐＦＲ’とＴｐＦＣを用いて修正されたＴｐＦＬ’とに基づき決定することもできる。
【００８０】
第十五の実施例では、ｋ＝１１個のチャンネルを有するマルチチャンネル信号は、ダウンミックス装置において、ｍ＝６個のチャンネルを有するダウンミックス信号にダウンミックスされて、次に、アップミックス又は符号化装置において、再びｎ＝１１個のチャンネルを有するアップミックス信号にアップミックスされる。この場合、マルチチャンネル信号、ダウンミックス信号及びアップミックス信号は、場合によっては、追加チャンネルを有することもできる。この第十五の実施例は、第十三と第十四の実施例の組合せから構成される。
【００８１】
本請求項によって保護される本発明が後日公開される国際特許公開第２０１４０７２５１３号明細書の実施例／保護範囲を含む場合、それを引用することによって、本請求項の保護範囲内に有る国際特許公開第２０１４０７２５１３号明細書に開示される全ての実施例をディスクレーマとして開示することをここに明示的に示す。これは、本請求項により言及された保護範囲が国際特許公開第２０１４０７２５１３号明細書に開示された実施例を（個々に、全体として、或いは如何なる組合せでも）差し引いてここに明示的に開示することを意味する。
【００８２】
本請求項によって保護される本発明が未公開のスイス特許出願第０１７２７／１３号明細書又はスイス特許出願第１６９６／１３号明細書の実施例／保護範囲を含む場合、それを引用することによって、本請求項の保護範囲内に有るスイス特許出願第０１７２７／１３号明細書又はスイス特許出願第１６９６／１３号明細書に開示される全ての実施例を実施例としてもディスクレーマとしても積極的に開示することをここに明示的に示す。これは、本請求項により言及された保護範囲が、スイス特許出願第０１７２７／１３号明細書又はスイス特許出願第１６９６／１３号明細書に開示される実施例と、ここで言及した保護範囲からスイス特許出願第０１７２７／１３号明細書又はスイス特許出願第１６９６／１３号明細書に開示された実施例を（個々に、全体として、或いは如何なる組合せでも）差し引いて残った実施例／残った保護範囲とに分け得ることを意味する。
【００８３】
本請求項によって保護される本発明が未公開のスイス特許出願第０７４３／１４号明細書の実施例／保護範囲を含む場合、それを引用することによって、本請求項の保護範囲内に有るスイス特許出願第０７４３／１４号明細書に開示される全ての実施例を実施例としてもディスクレーマとしても積極的に開示することをここに明示的に示す。これは、本請求項により言及された保護範囲が、スイス特許出願第０７４３／１４号明細書に開示された実施例と、ここで言及した保護範囲からスイス特許出願第０７４３／１４号明細書に開示される実施例を（個々に、全体として、或いは如何なる組合せでも）差し引いて残った実施例／残った保護範囲とに分け得ることを意味する。
【００８４】
本請求項によって保護される本発明が未公開のスイス特許出願第０３６９／１４号明細書の実施例／保護範囲を含む場合、それを引用することによって、本請求項の保護範囲内に有るスイス特許出願第０３６９／１４号明細書に開示される全ての実施例を実施例としてもディスクレーマとしても積極的に開示することをここに明示的に示す。これは、本請求項により言及された保護範囲が、スイス特許出願第０３６９／１４号明細書に開示された実施例と、ここで言及した保護範囲からスイス特許出願第０３６９／１４号明細書に開示される実施例を（個々に、全体として、或いは如何なる組合せでも）差し引いて残った実施例／残った保護範囲とに分け得ることを意味する。
【図１】
2016536855.tif 000003
【図２】
2016536855.tif 000004
【図３】
2016536855.tif 000005
【図４】
2016536855.tif 000006
【図５】
2016536855.tif 000007
【図６】
2016536855.tif 000008
【図７】
2016536855.tif 000009
【図８】
2016536855.tif 000010
【図９】
2016536855.tif 000011
【図１０】
2016536855.tif 000012
【図１１】
2016536855.tif 000013
【図１２】
2016536855.tif 000014
【図１３】
2016536855.tif 000015
【図１４】
2016536855.tif 000016
【図１５】
2016536855.tif 000017
【図１６】
2016536855.tif 000018
【図１７】
2016536855.tif 000019
【図１８】
2016536855.tif 000020
【図１９】
2016536855.tif 000021
【図２０】
2016536855.tif 000022
【図２１】
2016536855.tif 000023
【図２２】
2016536855.tif 000024
【図２３】
2016536855.tif 000025
【国際調査報告】
2016536855.tif 000026
2016536855.tif 000027
2016536855.tif 000028
2016536855.tif 000029
2016536855.tif 000030
2016536855.tif 000031
2016536855.tif 000032
2016536855.tif 000033